(57)【要約】【課題】簡易な構造で構造物形状の自由度を高めることができるうえ、部材の共有化を図ることが可能となり、製造コストが増大することを抑えることができる。【解決手段】隣接する多角錐枠体Ｐの頂点同士、及び辺同士を連結して組み合わせて構成され、多角錐枠体Ｐは、４つの正三角形枠４１から形成され、枠体形状が不変形で固定された正三角錐枠体Ｐ４と、正四角形枠５０と４つの正三角形枠５１とを有する四角錘枠体Ｐ５と、を備え、四角錘枠体Ｐ５の正四角形枠５０は、各頂点の角度が変形自在に設けられ、隣接する多角錐枠体Ｐの頂点同士を連結する接続継手２が設けられ、接続継手２は、隣接する多角錐枠体Ｐの組み合わせ姿勢に合わせた形状に形成された構成の建築構造物を提供する。【選択図】図１
2020066951.tif 000002
【特許請求の範囲】
【請求項１】
隣接する多角錐枠体の頂点同士、及び辺同士を連結して組み合わせて構成される建築構造物であって、
前記多角錐枠体は、
４つの正三角形枠から形成され、枠体形状が不変形で固定された正三角錐枠体と、
正四角形枠と４つの前記正三角形枠とを有する四角錘枠体、及び正五角形枠と５つの前記正三角形枠とを有する五角錐枠体のうち少なくとも一方と、を備え、
前記四角錘枠体の前記正四角形枠、及び前記五角錐枠体の前記正五角形枠は、それぞれの各頂点の角度が変形自在に設けられ、
前記隣接する多角錐枠体の頂点同士を連結する接続継手が設けられ、
前記接続継手は、前記隣接する多角錐枠体の組み合わせ姿勢に合わせた形状に形成されていることを特徴とする建築構造物。
【請求項２】
前記多角錐枠体は、
辺部を構成する直線フレームと、
該直線フレーム同士によって囲まれた開口面に沿って設けられる面材と、を備え、
前記面材は、前記多角錐枠体の複数の前記開口面のうち少なくとも一つに設けられていることを特徴とする請求項１に記載の建築構造物。
【請求項３】
前記直線フレームには、前記接続継手が接続される端部に係合凹部が形成され、
前記接続継手は、複数の前記直線フレームの前記係合凹部に嵌合される複数の係合凸部が形成されていることを特徴とする請求項２に記載の建築構造物。
【請求項４】
請求項１乃至３のいずれか１項に記載の建築構造物を構築するための構造物構築システムであって、
前記多角錐枠体の寸法や形状からなる多角錐枠体情報が格納されたデータ蓄積部と、
前記データ蓄積部に格納されている複数の前記多角錐枠体を適宜組み合わせ、前記四角錘枠体及び前記五角錐枠体のうち少なくとも一方を任意の形状とした構造物全体の組み合わせ姿勢を決定する処理を行う多角錐枠体組合せ設定部と、
前記多角錐枠体組合せ設定部で決定した複数の前記多角錐枠体の頂点の位置に合わせた形状となるように継手データを形成するデータ処理を行う継手データ処理部と、
前記継手データ処理部で形成した前記継手データに基づいて実物の接続継手を製造する継手製造部と、
を備えたことを特徴とする構造物構築システム。
【請求項５】
前記継手製造部は、前記継手データ処理部で形成した前記継手データに基づいて前記実物の接続継手を造型可能な三次元プリンタであることを特徴とする請求項４に記載の構造物構築システム。
【請求項６】
請求項１乃至３のいずれか１項に記載の建築構造物を構築するための建築構造物の構築方法であって、
複数の前記多角錐枠体を適宜組み合わせ、前記四角錘枠体及び前記五角錐枠体のうち少なくとも一方を任意の形状とした構造物全体の組み合わせ姿勢を決定する工程と、
決定した組み合わせ姿勢における複数の前記多角錐枠体の頂点の位置に合わせた形状の継手形状を設定する工程と、
設定した前記継手形状に基づいて実物の接続継手を製造する工程と、
複数の前記多角錐枠体同士を前記接続継手によって連結する工程と、
を有することを特徴とする建築構造物の構築方法。
【発明の詳細な説明】
【技術分野】
【０００１】
本発明は、建築構造物、構造物構築システム、及び建築構造物の構築方法に関する。
【背景技術】
【０００２】
従来、仮設住宅等の簡易な建築構造物として、例えば特許文献１に示されるような組み立てにかかる作業を簡単にかつ短時間で行えるプレハブ式の建物が知られている。このようなプレハブ構造物では、所定の大きさに設定されたプレハブ部材を組み合わせることにより一定の形状や大きさ（間取り）に決められて構築されるのが一般的である。
【０００３】
また、近年では、現地で大型の三次元プリンタを使用して上述したような仮設住宅等の簡易な建築構造物を一度に造型して製造する技術が提案されている。この場合には、先ず構築したい建築構造物を解析処理装置等を使用してモデル化し、そのモデルデータに基づいて三次元プリンタで実物大の建築構造物を造型するものである。
【先行技術文献】
【特許文献】
【０００４】
【特許文献１】特表平９−５１１２９７号公報
【発明の概要】
【発明が解決しようとする課題】
【０００５】
しかしながら、従来の簡易型の建築構造物では、以下のような問題があった。
すなわち、上述した特許文献１のようなプレハブ式の建物では、組み立てられた状態において規定範囲内で決められた形状となることから、使用者の好みに合わせた建物形状を自由にアレンジすることができないという問題があった。
【０００６】
また、建築構造物の形状を自在にアレンジする場合には、部屋の大きさ等に合わせた部材を各別で製造する必要があり、製造コストが増大するうえ、複数の住宅で共有化できないことから、仮設などの建物には適用が困難であり、その点で改善の余地があった。
さらに、大型の三次元プリンタを使用して建築構造物全体を一度に造型する方法の場合には、大型の三次元プリンタを現地に設ける必要があるため、非現実的であり、製造コストがかかるおそれがあった。
【０００７】
本発明は、上述する問題点に鑑みてなされたもので、簡易な構造で構造物形状の自由度を高めることができるうえ、部材の共有化を図ることが可能となり、製造コストが増大することを抑えることができる建築構造物、構造物構築システム、及び建築構造物の構築方法を提供することを目的とする。  
【課題を解決するための手段】
【０００８】
上記目的を達成するため、本発明に係る建築構造物は、隣接する多角錐枠体の頂点同士、及び辺同士を連結して組み合わせて構成される建築構造物であって、前記多角錐枠体は、４つの正三角形枠から形成され、枠体形状が不変形で固定された正三角錐枠体と、正四角形枠と４つの前記正三角形枠とを有する四角錘枠体、及び正五角形枠と５つの前記正三角形枠とを有する五角錐枠体のうち少なくとも一方と、を備え、前記四角錘枠体の前記正四角形枠、及び前記五角錐枠体の前記正五角形枠は、それぞれの各頂点の角度が変形自在に設けられ、前記隣接する多角錐枠体の頂点同士を連結する接続継手が設けられ、前記接続継手は、前記隣接する多角錐枠体の組み合わせ姿勢に合わせた形状に形成されていることを特徴としている。
【０００９】
また、本発明に係る建築構造物の構築方法は、上述した建築構造物を構築するための建築構造物の構築方法であって、複数の前記多角錐枠体を適宜組み合わせ、前記四角錘枠体及び前記五角錐枠体のうち少なくとも一方を任意の形状とした構造物全体の組み合わせ姿勢を決定する工程と、決定した組み合わせ姿勢における複数の前記多角錐枠体の頂点の位置に合わせた形状の継手形状を設定する工程と、設定した前記継手形状に基づいて実物の接続継手を製造する工程と、複数の前記多角錐枠体同士を前記接続継手によって連結する工程と、を有することを特徴としている。
【００１０】
本発明では、各多角錐枠体が同じ形状の正三角形枠を有しているので、任意の多角錐枠体を使用し、隣接する多角錐枠体の頂点同士、及び辺同士を連結して組み合わせた構造物を簡単に構築することができる。そして、本発明では、形状変形可能な四角錘枠体や五角錐枠体と正三角錐枠体を組み合わせ、隣接する多角錐枠体同士を接続継手で連結することで所望の形状に一体的に固定することができ、組み合わせ姿勢にバリエーションをもたせることが可能となるので、構築される建築構造物の形状の自由度を高めることができ、利用者の好みに合わせた建築構造物を構築できる。
【００１１】
本発明では、組み合わせる多角錐枠体に形状変形しない正三角錐枠体を使用することから、形状変形可能な四角錘枠体や五角錐枠体を使用しても、組み合わせた形状を安定した姿勢で固定することができる。
また、本発明では、正三角錐枠体、四角錘枠体、及び五角錐枠体は、それぞれ同じ形状の正三角形枠を形成しているので、辺部に相当する直線状の部材の長さを同じ寸法とすることができ、部材の共有化を図ることができることから、製造コストの増大を抑えることができる。
さらに、多角錐枠体は、簡単な構造となるので、組み立てにかかる作業時間や手間を低減することができる利点がある。
【００１２】
また、本発明に係る建築構造物では、前記多角錐枠体は、辺部を構成する直線フレームと、該直線フレーム同士によって囲まれた開口面に沿って設けられる面材と、を備え、前記面材は、前記多角錐枠体の複数の前記開口面のうち少なくとも一つに設けられていることを特徴としてもよい。
【００１３】
この場合には、多角錐枠体における直線フレームによって囲まれた任意の開口面に面材を配置することができるので、複数の多角錐枠体を組み合わせて構築された建築構造物の所望の箇所に面材を有する壁材、あるいは屋根材を設けることができる。このとき、すべての多角錐枠体において、直線フレームによって囲まれた同じ形状の正三角形の開口面が形成されるため、面材の大きさを統一化でき、複数の大きさの面材を製造する必要がなくなることから、製造コストを低減することができる。
【００１４】
また、本発明では、直線フレーム、面材、及び接続継手によって組み立てられる簡単な構造であり、それぞれの部材を分割した状態で持ち運びを容易に行うことができる。しかも接続継手を使用して直線フレームに接続するという簡単な方法により組み立て作業を行うことが可能であることから、熟練の技術が不要であり、利用者が自分で複数の多角錐枠体を組み合わせた建築構造物の組立、解体を行うことができる。
【００１５】
また、本発明に係る建築構造物は、前記直線フレームには、前記接続継手が接続される端部に係合凹部が形成され、前記接続継手は、複数の前記直線フレームの前記係合凹部に嵌合される複数の係合凸部が形成されていることを特徴としてもよい。
【００１６】
この場合には、直線フレームの係合凹部に接続継手の係合凸部を嵌合させることで、容易に複数の多角錐枠体同士を接続することができ、形状変形可能な四角錘枠体や五角錐枠体を所望の形状とした組み合わせ姿勢で固定することができる。
【００１７】
また、本発明に係る構造物構築システムは、上述した建築構造物を構築するための構造物構築システムであって、前記多角錐枠体の寸法や形状からなる多角錐枠体情報が格納されたデータ蓄積部と、前記データ蓄積部に格納されている複数の前記多角錐枠体を適宜組み合わせ、前記四角錘枠体及び前記五角錐枠体のうち少なくとも一方を任意の形状とした構造物全体の組み合わせ姿勢を決定する処理を行う多角錐枠体組合せ設定部と、前記多角錐枠体組合せ設定部で決定した複数の前記多角錐枠体の頂点の位置に合わせた形状となるように継手データを形成するデータ処理を行う継手データ処理部と、前記継手データ処理部で形成した前記継手データに基づいて実物の接続継手を製造する継手製造部と、を備えたことを特徴としている。
【００１８】
本発明では、上述したような建築構造物の自由度を高めることができ、部材の共有化を図ることができるので、製造コストを低減することができる効果に加え、以下の利点を有する。
すなわち、本発明では、データ蓄積部、多角錐枠体組合せ設定部、及び継手データ処理部を有する継手データ処理装置を使用し、予め格納された多角錐枠体情報に基づいて複数の多角錐枠体を適宜組み合わせて構造物全体の組み合わせ姿勢を決定し、その組み合わせ姿勢の隣接する多角錐枠体の頂点の位置に合わせた形状の接続継手を前記継手データ処理装置内で継手データとして形成することができる。そして、継手製造部において継手データを使用して複雑な形状となる実物の接続継手を製造することができるので、実物の多角錐枠体を組み合わせた状態で接続継手の形状を形成する手間が不要となり、接続継手の製造にかかる手間と時間を低減することができる。
【００１９】
また、本発明に係る構造物構築システムは、前記継手製造部は、前記継手データ処理部で形成した前記継手データに基づいて前記実物の接続継手を造型可能な三次元プリンタであることが好ましい。
【００２０】
この場合には、複雑な形状となる接続継手を三次元プリンタを使用して造型することにより、容易にかつ高精度で製造することができる。しかも、接続継手のみを造型するシステムであるため、大型の三次元プリンタが不要であり、三次元プリンタの持ち運びも容易となることから、多角錐枠体を組み立てる現地に三次元プリンタを搬入して、現地で接続継手を製造することが可能となる。
【発明の効果】
【００２１】
本発明の建築構造物、構造物構築システム、及び建築構造物の構築方法によれば、簡易な構造で構造物形状の自由度を高めることができるうえ、部材の共有化を図ることが可能となり、製造コストが増大することを抑えることができる。
【図面の簡単な説明】
【００２２】
【図１】本発明の実施形態による建築構造物において、変形した四角錘枠体を有する一例を示す斜視図であって、（ａ）は直線フレームのみを示した図、（ｂ）は直線フレームの開口面に面材を配置した図である。
【図２】本発明の実施形態による建築構造物において、図１と異なる形状に変形した四角錘枠体を有する他の例を示す斜視図であって、（ａ）は直線フレームのみを示した図、（ｂ）は直線フレームの開口面に面材を配置した図である。
【図３】本発明の実施形態による建築構造物において、変形した四角錘枠体と五角錐枠体を有する一例を示す斜視図であって、（ａ）は直線フレームのみを示した図、（ｂ）は直線フレームの開口面に面材を配置した図である。
【図４】正三角錐枠体の構成を示す斜視図である。
【図５】四角錘枠体の構成を示す斜視図であって、（ａ）は変形前の図、（ｂ）は変形後の図である。
【図６】五角錐枠体の構成を示す斜視図であって、（ａ）は変形前の図、（ｂ）は変形後の図である。
【図７】接続継手の一例を示す斜視図であって、（ａ）は直線フレームを接続した状態の図、（ｂ）は直線フレームに接続する前の状態を示す図である。
【図８】建築構造物を構築する際に用いる構造物構築システムの概略構成を示すブロック図である。
【発明を実施するための形態】
【００２３】
以下、本発明の実施形態による建築構造物、構造物構築システム、及び建築構造物の構築方法について、図面に基づいて説明する。
【００２４】
図１乃至図３に示すように、本実施形態による建築構造物１は、隣接する多角錐枠体Ｐの頂点同士、及び辺同士を連結して組み合わせることにより構築され、構造物の全体形状を自由にアレンジすることを可能としたものである。
建築構造物１の用途としては、例えば仮設住宅や、イベント等の展示ブース、テント等、短期間で簡易に設置、撤去できる仮設の建築構造物が好適とされるが、長期的に設置される本設の住宅等であっても勿論かまわない。
【００２５】
建築構造物１は、複数の多角錐枠体Ｐ、Ｐ、…同士が接続される頂点で接続継手２を介して組み合わせることで構築される。そして、建築構造物１は、複数の多角錐枠体Ｐの組み合わせや変形状態に応じて利用者の好みや使用状態に合わせた形状に自在に変形させて設置することができる構造となっている。
建築構造物１における接続継手２は、互いに接続される複数の多角錐枠体Ｐ、Ｐ、…の各辺同士の連結角度（姿勢）が決定された状態で連結可能な継手形状に継手製造手段（後述する図８に示す三次元プリンタ６）によって製造される。
【００２６】
多角錐枠体Ｐは、４つの正三角形枠４１、４１、…によって形成され枠体形状が固定された正三角錐枠体Ｐ４（図４参照）と、正四角形枠５０と正三角錐枠体Ｐ４の正三角形枠４１と同形の４つの正三角形枠５１、５１、…とを有する四角錘枠体Ｐ５（図５（ａ）、（ｂ）参照）、及び正五角形枠６０と正三角錐枠体Ｐ４の正三角形枠４１と同形の５つの正三角形枠６１とを有する五角錐枠体Ｐ６（図６（ａ）、（ｂ）参照）のうち少なくとも一方と、を備えている。つまり、多角錐枠体Ｐによって組み合わされる建築構造物１は、少なくとも１つの正三角錐枠体Ｐ４が設けられ、四角錘枠体Ｐ５及び五角錐枠体Ｐ６のうち少なくとも一方が必ず設けられる。
ここで、図１〜図３において、正三角形枠４１、５１、６１、正四角形枠５０、及び正五角形枠６０を指す位置は、見やすくするために枠ではなく、各枠によって囲まれる面を指しているものもある。
【００２７】
なお、多角錐枠体Ｐは、全ての枠内に後述する面材１２を備えた場合には、いわゆる多面体となる。つまり、正三角錐枠体Ｐ４、四角錘枠体Ｐ５、及び五角錐枠体Ｐ６は、それぞれ正四面体、五面体、及び六面体となる。
【００２８】
正三角錐枠体Ｐ４は、図４に示すように、正三角形をなす４つの正三角形枠４１（図１（ｂ）参照）から形成され、枠体形状の全体が不変形で固定された構成となっている。すなわち、正三角錐枠体Ｐ４は、各辺部の辺長はすべて同じ長さで一致しているため、変形不可となる枠体をなしている。
【００２９】
四角錘枠体Ｐ５と五角錐枠体Ｐ６は、それぞれ形状変形可能な枠体である。
四角錘枠体Ｐ５は、図５（ａ）、（ｂ）に示すように、４つの正三角形枠５１（図１（ｂ）、図２（ｂ）、及び図３（ｂ）参照）と、４つの正三角形枠５１の各１辺を共有する正四角形枠５０と、から構成されている。すなわち、四角錘枠体Ｐ５の各辺部の辺長はすべて同じ長さで一致している。正三角形枠５１は、正三角錐枠体Ｐ４の正三角形枠４１と同一形状である。正四角形枠５０は、図５（ａ）に示すように変形前の状態では正四角形であるが、図５（ｂ）に示すように正四角形以外の角度に変形可能である。そのため、正四角形枠５０の変形に対応して四角錘枠体Ｐ５の全体形状も変形可能となっている。
【００３０】
五角錐枠体Ｐ６は、図６（ａ）、（ｂ）に示すように、５つの正三角形枠６１（図３（ｂ）参照）と、５つの正三角形枠６１の各１辺を共有する正五角形枠６０と、から構成されている。すなわち、五角錐枠体Ｐ６の各辺部の辺長はすべて同じ長さで一致している。正三角形枠６１は、正三角錐枠体Ｐ４の正三角形枠４１と同一形状である。正五角形枠６０は、図６（ａ）に示すように変形前の状態では正五角形であるが、図６（ｂ）に示すように、正五角形以外の角度に変形可能である。そのため、正五角形枠６０の変形に対応して五角錐枠体Ｐ６の全体形状も変形可能となっている。
【００３１】
四角錘枠体Ｐ５の正四角形枠５０、及び五角錐枠体Ｐ６の正五角形枠６０は、それぞれの各頂点の角度が変形自在に設けられている。
つまり、図５（ｂ）において、二点鎖線が変形前の状態、すなわち正四角形枠５０（図１（ｂ）参照）が正四角形となっている姿勢（変形前姿勢Ｔ０）を示している。図５（ｂ）の実線は変形後の一例を示す状態、すなわち正四角形枠５０を図中矢印Ｅ１方向に変形させた変形四角形枠５０Ａ（図１（ｂ）、及び図２（ｂ）参照）とした変形姿勢Ｔ１を示している。
【００３２】
また、図６（ｂ）において、二点鎖線が変形前の状態、すなわち正五角形枠６０が正五角形となっている姿勢（変形前姿勢Ｔ０）を示している。図６（ｂ）の実線は変形後の一例を示す状態、すなわち正五角形枠６０を図中矢印Ｅ２方向に変形させた変形五角形枠６０Ａ（図３（ｂ）参照）とした変形姿勢Ｔ１を示している。
なお、四角錘枠体Ｐ５と五角錐枠体Ｐ６が変形姿勢Ｔ１であるとき、それぞれ正四角形枠５０、正五角形枠６０によって囲まれる部分は１つの面ではなく、複数の面から形成されることになる。
【００３３】
多角錐枠体Ｐは、上述したように、図４に示す正三角錐枠体Ｐ４と、図５（ａ）、（ｂ）に示す四角錘枠体Ｐ５と、図６（ａ）、（ｂ）に示す五角錐枠体Ｐ６の３種類が採用されている。
多角錐枠体Ｐ（Ｐ４、Ｐ５、Ｐ６）は、辺部を構成する直線フレーム１１と、直線フレーム１１によって囲まれた開口面に沿って張設された面材１２（図１〜図３参照）と、を備えている。
【００３４】
直線フレーム１１は、例えばアルミニウム、スチール等の金属材料や樹脂等で形成される断面円形あるいは断面矩形のパイプ材等の棒状部材が採用されている。直線フレーム１１は、接続継手２が接続される第１端部１１ａに係合凹部１３が形成されている。なお、直線フレーム１１において、他の多角錐枠体Ｐに接続されない頂部側に位置する第２端部１１ｂ（図１（ａ）、（ｂ）参照））は、当該多角錐枠体Ｐにおける他の直線フレーム１１に直接連結され、第１端部１１ａのような係合凹部１３であってもなくてもかまわない。
なお、直線フレーム１１の断面形状は、円形や角形等、とくに限定されることはなく、筒状体や密実なものであってもかまわない。
【００３５】
面材１２は、布材や樹脂製のパネル等を採用することができ、各多角錐枠体Ｐに形成される複数の開口面のうち少なくとも一つに設けられている。
【００３６】
接続継手２は、図７（ａ）、（ｂ）に示すように、隣接する複数の多角錐枠体Ｐ、Ｐ、…の組み合わせ姿勢に合わせた形状に形成されている。つまり、接続継手２は、二つの多角錐枠体Ｐ、Ｐを１つの頂点で接続するだけでなく、複数（例えば３つ、或いは４つの多角錐枠体Ｐのそれぞれの頂点同士を接続するように構成されている。
【００３７】
接続継手２は、接続する多角錐枠体Ｐの複数の直線フレーム１１の軸線と同軸に延びる複数の軸部２１と、それら軸部２１のそれぞれに設けられ、直線フレーム１１の筒状の係合凹部１３に嵌合される係合凸部２２と、を有している。
複数の軸部２１は、接合中心部Ｏから接続する複数の直線フレーム１１の係合凹部１３に向けた角度で放射状に突出している。
【００３８】
接続継手２としては、樹脂製、金属製等の部材により形成され、本実施形態では三次元プリンタ６（後述する）を使用して所望の形状に製造される。
【００３９】
図１（ａ）、（ｂ）及び図２（ａ）、（ｂ）に示す第１建築構造物１Ａ（１）は、正三角錐枠体Ｐ４と、変形させた四角錘枠体Ｐ５を組み合わせた一例を示している。すなわち、第１建築構造物１Ａは、４個の正三角錐枠体Ｐ４と、１個の変形した四角錘枠体Ｐ５を使用し、四角錘枠体Ｐ５の正四角形枠５０の各辺に正三角錐枠体Ｐ４の一つの辺部（直線フレーム１１）が接続されている。そして、隣接する多角錐枠体Ｐ、Ｐ同士の辺部に位置する直線フレーム１１は、共通の部材として１本の直線フレーム１１により構成されている。
なお、図１（ａ）、（ｂ）及び図２（ａ）、（ｂ）は、四角錘枠体Ｐ５の変形の度合いが異なる形状の例を示している。
【００４０】
また、図３（ａ）、（ｂ）に示すように、他の建築構造物１の例として、第２建築構造物１Ｂ（１）は、正三角錐枠体Ｐ４、変形させた四角錘枠体Ｐ５、及び変形させた五角錐枠体Ｐ６を組み合わせた一例を示している。すなわち、第２建築構造物１Ｂは、３個の正三角錐枠体Ｐ４と、１個の変形した四角錘枠体Ｐ５と、１個の変形した五角錐枠体Ｐ６を使用し、五角錐枠体Ｐ６の正五角形枠６０の各辺に正三角錐枠体Ｐ４及び四角錘枠体Ｐ５の一つの辺部（直線フレーム１１）が接続されている。そして、隣接する多角錐枠体Ｐ、Ｐ同士の辺部に位置する直線フレーム１１は、共通の部材として１本の直線フレーム１１により構成されている。
【００４１】
次に、本実施形態では、図８に示すように、上述した複数の多角錐枠体Ｐ、Ｐ、…を組み合わせて構成される建築構造物１は構造物構築システム１０を用いて構築される。
構造物構築システム１０は、データ蓄積部３と、多角錐枠体組合せ設定部４と、継手データ処理部５と、三次元プリンタ６（継手製造部）と、を備えている。
【００４２】
データ蓄積部３、多角錐枠体組合せ設定部４、及び継手データ処理部５は、例えばプログラムを組み込んだ継手データ処理装置１０Ａが用いられている。継手データ処理装置１０Ａは、ＣＰＵ（演算処理装置）、データの送受信インターフェース、ＨＤＤやＳＳＤなどの記憶装置、ＲＯＭ、ＲＡＭ、キーボード、マウスなどの入力装置、ディスプレイやプリンタなど出力装置などを任意に備えている。
【００４３】
データ蓄積部３は、多角錐枠体Ｐ（正三角錐枠体Ｐ４、四角錘枠体Ｐ５、五角錐枠体Ｐ６）の寸法や形状からなる多角錐枠体情報Ｄが格納されている。データ蓄積部３には、多角錐枠体情報Ｄをシステム使用者が入力するための画面を表示する入力手段（図示省略）が設けられている。
【００４４】
多角錐枠体組合せ設定部４は、データ蓄積部３に格納されている複数の多角錐枠体Ｐを適宜組み合わせ、四角錘枠体Ｐ５及び五角錐枠体Ｐ６のうち少なくとも一方を任意の形状とした構造物全体の組み合わせ姿勢を決定する処理が行われる。多角錐枠体組合せ設定部４では、データ蓄積部３の多角錐枠体情報Ｄよりモデル化された３Ｄ画像データ等を使用し、組み合わせられる多角錐枠体Ｐの種類、数量、組み合わせ状態、多角錐枠体の変形状態等を設定することで所望の建築構造物１全体の組み合わせ形状が決定される。
【００４５】
継手データ処理部５は、多角錐枠体組合せ設定部４で決定した複数の多角錐枠体Ｐ、Ｐ、…の頂点の位置に合わせた形状となるように継手データ２Ａを形成するデータ処理を行う継手データ処理が行われる。
【００４６】
三次元プリンタ６は、いわゆる三次元プリンタであって、継手データ処理部５で形成した継手データ２Ａに基づいて実物の接続継手２を造型することにより製造するものである。造型される接続継手２は、構築する建築構造物１としての所望の強度を確保できる材料、形状により製造されることはいうまでもない。
【００４７】
そして、三次元プリンタ６によって製造された接続継手２は、寸法の精度が高く、継手データ処理部５で形成した継手データ２Ａに対して製造誤差がほぼ生じることがなく、組み立てられた複数の多角錐枠体Ｐによって構築される建築構造物１の組み合わせ精度も高めることができる。
ここで、三次元プリンタ６の三次元プリンタとしては、市販のものを使用することができる。また、アウトプットされる接続継手２は、三次元プリンタ６によって形状のみが得られればよく、材質や着色等はとくに限定されるものではない。
【００４８】
このように構成される建築構造物１の施工手順について、図面に基づいて説明する。ここでは、上述した構造物構築システム１０を使用した構築方法について説明する。
図８に示すように、継手データ処理装置１０Ａのデータ蓄積部３に多角錐枠体Ｐ（正三角錐枠体Ｐ４、四角錘枠体Ｐ５、五角錐枠体Ｐ６）の寸法や形状からなる多角錐枠体情報Ｄを格納しておく。
【００４９】
次に、多角錐枠体組合せ設定部４において、図１〜図３に示すように、データ蓄積部３に格納されている複数の多角錐枠体Ｐを適宜組み合わせ、四角錘枠体Ｐ５及び五角錐枠体Ｐ６のうち少なくとも一方を任意の形状とした構造物全体の組み合わせ姿勢を決定する処理を行う。
その後、図７（ａ）、（ｂ）に示すように、継手データ処理部５において、多角錐枠体組合せ設定部４で決定した複数の多角錐枠体Ｐの頂点の位置に合わせた形状の接続継手を継手データ処理した継手データ２Ａを形成する処理を行う。
【００５０】
なお、ここまでの処理は、現場で多角錐枠体Ｐを組み立てて施工する前に事前に行っておくことが可能である。あるいは、現場で多角錐枠体Ｐを組み立てながら、構造物全体の組み合わせ形状を確認しながら、多角錐枠体組合せ設定部４で構造物全体の組み合わせ姿勢を決定する処理を行うようにしてもよい。
【００５１】
次に、三次元プリンタ６において、継手データ処理部５で形成した継手データ２Ａに基づいて実物の接続継手２を製造する。
その後、複数の多角錐枠体Ｐ同士を三次元プリンタ６で製造した接続継手２によって連結するとともに、適宜な開口面に面材１２を設置することで、多角錐枠体組合せ設定部４で設定した組み合わせ姿勢と同等の実物の建築構造物１が構築される。
【００５２】
次に、上述した建築構造物、構造物構築システム、及び建築構造物の構築方法の作用について、図面に基づいて詳細に説明する。
本実施形態では、図１〜図３に示すように、各多角錐枠体Ｐが同じ形状の正三角形枠を有しているので、任意の多角錐枠体Ｐを使用し、隣接する多角錐枠体Ｐの頂点同士、及び辺同士を連結して組み合わせた建築構造物１を簡単に構築することができる。
そして、本実施形態では、形状変形可能な四角錘枠体Ｐ５や五角錐枠体Ｐ６と正三角錐枠体Ｐ４を組み合わせ、隣接する多角錐枠体Ｐ同士を接続継手２で連結することで所望の形状に一体的に固定することができ、組み合わせ姿勢にバリエーションをもたせることが可能となるので、構築される建築構造物１の形状の自由度を高めることができ、利用者の好みに合わせた建築構造物１を構築できる。
【００５３】
本実施形態では、組み合わせる多角錐枠体Ｐに形状変形しない正三角錐枠体Ｐ４を使用することから、形状変形可能な四角錘枠体Ｐ５や五角錐枠体Ｐ６を使用しても、組み合わせた形状を安定した姿勢で固定することができる。
【００５４】
また、本実施形態では、多角錐枠体Ｐが２種類（正三角錐枠体Ｐ４と四角錘枠体Ｐ５（又は五角錐枠体Ｐ６））又は３種類（正三角錐枠体Ｐ４、四角錘枠体Ｐ５、及び五角錐枠体Ｐ６）と少なく、従来のような多数の部材を組み合わせる構造に比べて部材の製造コストを低減できる。そのうえ、正三角錐枠体Ｐ４、四角錘枠体Ｐ５、及び五角錐枠体Ｐ６は、それぞれ同じ形状の正三角形枠を形成しているので、辺部に相当する直線状の部材（直線フレーム１１）の長さを同じ寸法とすることができ、部材の共有化を図ることができることから、製造コストの増大を抑えることができる。
さらに、本実施形態において、多角錐枠体Ｐは、簡単な構造となるので、組み立てにかかる作業時間や手間を低減することができる利点がある。
【００５５】
また、本実施形態の場合には、多角錐枠体Ｐにおける直線フレーム１１によって囲まれた任意の開口面に面材を配置することができるので、複数の多角錐枠体Ｐを組み合わせて構築された建築構造物１の所望の箇所に面材１２を有する壁材、あるいは屋根材を設けることができる。このとき、すべての多角錐枠体Ｐにおいて、直線フレーム１１によって囲まれた同じ形状の正三角形の開口面が形成されるため、面材１２の大きさを統一化でき、複数の大きさの面材を製造する必要がなくなることから、製造コストを低減することができる。
【００５６】
また、本実施形態では、直線フレーム１１、面材１２、及び接続継手２によって組み立てられる簡単な構造であり、それぞれの部材を分割した状態で持ち運びを容易に行うことができる。しかも接続継手２を使用して直線フレーム１１に接続するという簡単な方法により組み立て作業を行うことが可能であることから、熟練の技術が不要であり、利用者が自分で複数の多角錐枠体Ｐを組み合わせた建築構造物１の組立、解体を行うことができる。
【００５７】
また、本実施形態では、直線フレーム１１の係合凹部１３に接続継手２の係合凸部２２を嵌合させることで、容易に複数の多角錐枠体Ｐ同士を接合することができ、形状変形可能な四角錘枠体Ｐ５や五角錐枠体Ｐ６を所望の形状とした組み合わせ姿勢で固定することができる。
【００５８】
また、本実施形態の構造物構築システム１０によれば、図８に示すように、データ蓄積部３、多角錐枠体組合せ設定部４、及び継手データ処理部５を有する継手データ処理装置１０Ａを使用し、予め格納された多角錐枠体情報Ｄに基づいて複数の多角錐枠体Ｐを適宜組み合わせて構造物全体の組み合わせ姿勢を決定し、その組み合わせ姿勢の隣接する多角錐枠体Ｐの頂点の位置に合わせた形状の接続継手２を継手データ処理装置１０Ａ内で継手データ２Ａとして形成することができる。
【００５９】
そして、本実施形態では、三次元プリンタ６において継手データ２Ａを使用して複雑な形状となる実物の接続継手２を製造することができるので、実物の多角錐枠体Ｐを組み合わせた状態で接続継手の形状を形成する手間が不要となり、接続継手２の製造にかかる手間と時間を低減することができる。
【００６０】
しかも、本実施形態の構造物構築システム１０では、複雑な形状となる接続継手２を三次元プリンタ６を使用して造型することにより、容易にかつ高精度で製造することができる。しかも、接続継手２のみを造型するシステムであるため、大型の三次元プリンタが不要であり、三次元プリンタ６の持ち運びも容易となることから、多角錐枠体Ｐを組み立てる現地に三次元プリンタ６を搬入して、現地で接続継手２を製造することが可能となる。
【００６１】
上述のように本実施形態による建築構造物、構造物構築システム、及び建築構造物の構築方法では、簡易な構造で構造物形状の自由度を高めることができるうえ、部材の共有化を図ることが可能となり、製造コストが増大することを抑えることができる。
【００６２】
以上、本発明による建築構造物、構造物構築システム、及び建築構造物の構築方法の実施形態について説明したが、本発明は上記の実施形態に限定されるものではなく、その趣旨を逸脱しない範囲で適宜変更可能である。
【００６３】
例えば、本実施形態では、多角錐枠体Ｐのうち任意の開口面に面材１２を配置した構成としているが、面材１２を省略することも可能であるし、例えば直線フレーム１１のみで構成された建築構造物１全体を別のシート材や壁材等で覆う一体形成された外壁部材を採用してもよい。
【００６４】
また、多角錐枠体Ｐ（正三角錐枠体Ｐ４、四角錘枠体Ｐ５、五角錐枠体Ｐ６）の正三角形枠４１、５１、６１の大きさ、直線フレーム１１の長さ寸法は、任意に設定することができる。要は、同じ建築構造物１で使用する全ての多角錐枠体Ｐにおいて、正三角形枠４１、５１、６１の大きさ、直線フレーム１１の長さ寸法は同一のものが使用されればよいのである。
【００６５】
さらに、接続継手２と直線フレーム１１との係合構造は、上述した実施形態のように凹凸係合に限定されることはなく、他の係合構造を採用することも可能である。例えば、直線フレーム１１の第１端部１１ａと接続継手２の軸部２１とを挟持する別部材を設けて、両者を接続するような構造であってもよい。
【００６６】
さらにまた、本実施形態では、構造物構築システム１０を使用して、継手データ処理装置１０Ａによって継手データ２Ａを形成し、その継手データ２Ａに基づいて三次元プリンタ６を使用して接続継手２を造型する方法としているが、これに限定されることはない。
例えば、三次元プリンタ６を使用せずに、継手データ２Ａに基づいて製作した金型を用いて金属製の接続継手２を製造するようにしてもよい。また、継手データ処理装置１０Ａを使用せずに、現地で複数の多角錐枠体を組み合わせた状態で配置し、この組み合わせ姿勢を例えばレーザー等の測定機器を使用して計測し、この計測データに基づいて各接続部における直線フレーム１１の角度を算出して、接続継手の製造データとしてもよい。
【００６７】
その他、本発明の趣旨を逸脱しない範囲で、上記した実施形態における構成要素を周知の構成要素に置き換えることは適宜可能である。
【符号の説明】
【００６８】
１、１Ａ、１Ｂ  建築構造物
２  接続継手
２Ａ  継手データ
３  データ蓄積部
４  多角錐枠体組合せ設定部
５  継手データ処理部
６  三次元プリンタ（継手製造部）
１０  構造物構築システム
１０Ａ  継手データ処理装置
１１  直線フレーム（辺部）
１１ａ  第１端部
１２  面材
１３  係合凹部
２１  軸部
２２  係合凸部
４１、５１、６１  正三角形枠
５０  正四角形枠
６０  正五角形枠
Ｄ  多角錐枠体情報
Ｐ  多角錐枠体
Ｐ４  正三角錐枠体
Ｐ５  四角錘枠体
Ｐ６  五角錐枠体
【図１】
2020066951.tif 000003
【図２】
2020066951.tif 000004
【図３】
2020066951.tif 000005
【図４】
2020066951.tif 000006
【図５】
2020066951.tif 000007
【図６】
2020066951.tif 000008
【図７】
2020066951.tif 000009
【図８】
2020066951.tif 000010